(57)【特許請求の範囲】
【請求項１】
保持具に装着される清掃シートであって、
シート状部材と、前記シート状部材を重ねることによって構成される前記保持具の収容部と、重ねられた前記シート状部材を接合することにより前記収容部の外縁を構成する接合部とを有し、
前記収容部における前記保持具の挿入方向は第１軸を規定し、前記第１軸における前記挿入方向とは反対側の方向は抜去方向を規定し、前記第１軸と交差する方向は第２軸を規定し、
前記収容部は、開口と、前記開口に連続するとともに前記第１軸に延在する収容空間とを有し、
前記収容空間は、前記第２軸において、所定の長さを有する第１空間領域と、前記第１空間領域よりも短い長さを有する第２空間領域とを有し、
前記第１空間領域は、前記第１軸において、前記第２空間領域よりも前記開口側に設けられ、
前記シート状部材は、第１シート状部材と、前記第１軸において前記第１シート状部材よりも短く構成された第２シート状部材と、を有し、
前記収容部は、前記収容部における他の箇所よりも剛性の高い高剛性部を有し、
前記高剛性部は、前記第２空間領域に形成されており、
前記接合部は、一対の第１接合部と、一対の第２接合部と、一対の前記第１接合部および一対の前記第２接合部の間において前記第１軸に延在する分離接合部と、を有し、
一対の前記第１接合部の間に前記第１空間領域が構成され、
一対の前記第２接合部の間に前記第２空間領域が構成され、
前記分離接合部により前記収容空間が分離され、
前記第１接合部は、前記第１シート状部材と前記第２シート状部材の境界に設けられ、
前記第２接合部は、前記第１接合部から前記第１軸において離間した位置に設けられ、
前記高剛性部は、一対の前記第２接合部間に設けられることを特徴とする清掃シート。
【請求項２】
請求項１に記載された清掃シートであって、
前記開口は、第１開口と、前記第１軸において前記第１開口と反対側に形成された第２開口と、前記第１開口を含む領域である第１開口側領域と、前記第２開口を含む領域である第２開口側領域とを有し、
前記第１空間領域および前記第２空間領域は、前記第１開口側領域と前記第２開口側領域とにそれぞれ形成されていることを特徴とする清掃シート。
【請求項３】
請求項１または２に記載された清掃シートであって、
前記収容部は、前記第１空間領域から前記第２空間領域に亘り前記保持具を誘導する誘導部を有することを特徴とする清掃シート。
【請求項４】
請求項１〜３に記載された清掃シートであって、
前記保持具は、凸部を有し、
前記収容部は、前記第１接合部と前記第２接合部との間に前記凸部が収容される凸部収容領域を構成することを特徴とする清掃シート。
【請求項５】
請求項１〜４に記載された清掃シートであって、
前記接合部は、前記収容部に前記保持具を収容させるために前記保持具を前記挿入方向に移動した場合に前記保持具と当接する挿入側領域と、前記収容部に収容された前記保持具を前記抜去方向に移動した場合に前記保持具と当接する抜去側領域とを有し、
前記挿入側領域は、前記挿入方向に移動する前記保持具が最初に当接する挿入開始点と、前記挿入方向に移動する前記保持具が最後に当接する挿入終了点と、前記挿入開始点と前記挿入終了点とを結んだ直線である挿入第１直線と、前記挿入開始点を通過する前記第２軸上の直線である挿入第２直線と、前記挿入第１直線と前記挿入第２直線とが形成する角度である挿入角度を規定し、
前記抜去側領域は、前記抜去方向に移動する前記保持具が最初に当接する抜去開始点と、前記抜去方向に移動する前記保持具が最後に当接する抜去終了点と、前記抜去開始点と前記抜去終了点とを結んだ直線である抜去第１直線と、前記抜去終了点を通過する前記第２軸上の直線である抜去第２直線と、前記抜去第１直線と前記抜去第２直線とが形成する角度である抜去角度を規定し、
前記挿入角度は、前記抜去角度よりも小さく構成されていることを特徴とする清掃シート。
【請求項６】
請求項５に記載された清掃シートであって、
前記挿入側領域は、前記第１接合部に形成される第１挿入側領域と、前記第２接合部に形成される第２挿入側領域とを有し、
前記抜去側領域は、前記第１接合部に形成される第１抜去側領域と、前記第２接合部に形成される第２抜去側領域とを有することを特徴とする清掃シート。
【請求項７】
請求項５または６に記載された清掃シートであって、
前記挿入側領域は、前記誘導部を兼ねることを特徴とする清掃シート。
【請求項８】
請求項５または６に記載された清掃シートであって、
前記第１開口から挿入された前記保持具に対し、前記第２開口領域に配置された前記抜去側領域は、前記保持具の挿入を抑制する抑制部を構成することを特徴とする清掃シート。
【請求項９】
請求項１〜９に記載された清掃シートであって、
前記高剛性部は、前記分離接合部上に設けられるとともに前記第２軸において前記分離接合部よりも長く形成された、高剛性部形成接合部により構成されることを特徴とする清掃シート。
【請求項１０】
保持具と、前記保持具に装着される清掃シートとを有する清掃用具であって、
前記保持具は、使用者によって把持される把持部と、長尺部とを有し、
前記清掃シートは、シート状部材と、前記シート状部材を重ねることによって構成される前記長尺部の収容部と、重ねられた前記シート状部材を接合することにより前記収容部の外縁を構成する接合部とを有し、
前記収容部における前記長尺部の挿入方向は第１軸を規定し、前記第１軸における前記挿入方向とは反対側の方向は抜去方向を規定し、前記第１軸と交差する方向は第２軸を規定し、
前記収容部は、開口と、前記開口に連続するとともに前記第１軸に延在する収容空間とを有し、
前記収容空間は、前記第２軸において、所定の長さを有する第１空間領域と、前記第１空間領域よりも短い長さを有する第２空間領域とを有し、
前記第１空間領域は、前記第１軸において、前記第２空間領域よりも前記開口側に設けられ、
前記シート状部材は、第１シート状部材と、前記第１軸において前記第１シート状部材よりも短く構成された第２シート状部材と、を有し、
前記収容部は、前記収容部における他の箇所よりも剛性の高い高剛性部を有し、
前記高剛性部は、前記第２空間領域に形成されており、
前記接合部は、一対の第１接合部と、一対の第２接合部と、一対の前記第１接合部および一対の前記第２接合部の間において前記第１軸に延在する分離接合部と、を有し、
一対の前記第１接合部の間に前記第１空間領域が構成され、
一対の前記第２接合部の間に前記第２空間領域が構成され、
前記分離接合部により前記収容空間が分離され、
前記第１接合部は、前記第１シート状部材と前記第２シート状部材の境界に設けられ、
前記第２接合部は、前記第１接合部から前記第１軸において離間した位置に設けられ、
前記高剛性部は、一対の前記第２接合部間に設けられることを特徴とする清掃用具。
【発明の詳細な説明】
【技術分野】
【０００１】
本発明は、清掃対象を清掃するための清掃シートおよび清掃用具に関する。
【背景技術】
【０００２】
特開２００８−２５３２８６号公報には、清掃体と清掃体ホルダとにより構成される清掃用具が記載されている。清掃体は、清掃体ホルダの保持板に装着される。一方、当該文献に記載された清掃用具は、清掃体と清掃体ホルダの装着に関する容易性や、清掃体と清掃体ホルダの外れやすさの問題に関して言及されておらず、これらの問題に対し、さらなる改良の余地があった。
【先行技術文献】
【特許文献】
【０００３】
【特許文献１】特開２００８−２５３２８６号公報
【発明の概要】
【発明が解決しようとする課題】
【０００４】
本発明は、このような点に鑑みて創案されたものであり、清掃シートおよび清掃用具に関する一層合理的な構築技術を提供することを目的とする。
【課題を解決するための手段】
【０００５】
上記課題を解決するため、本発明における清掃シートは、保持具に装着される清掃シートであって、シート状部材と、シート状部材を重ねることによって構成される保持具の収容部と、重ねられたシート状部材を接合することにより収容部の外縁を構成する接合部とを有する。収容部における保持具の挿入方向は第１軸を規定し、第１軸における挿入方向とは反対側の方向は抜去方向を規定し、第１軸と交差する方向は第２軸を規定する。収容部は、開口と、開口に連続するとともに第１軸に延在する収容空間とを有する。収容空間は、第２軸において、所定の長さを有する第１空間領域と、第１空間領域よりも短い長さを有する第２空間領域とを有する。第１空間領域は、第１軸において、第２空間領域よりも開口側に設けられる。
【０００６】
本発明に係る清掃シートによれば、収容部に保持具を装着する際に、開口の次に第１空間領域が形成されているため、使用者は、容易に保持具を収容部に挿入することが可能となる。さらに、清掃作業中においては、第２空間領域が形成されているため、当該第２空間領域によって保持具を係止することができる。すなわち、清掃作業中において、清掃シートと保持具が脱離することを抑制することが可能となる。
【０００７】
また本発明に係る清掃シートにあっては、シート状部材は、第１シート状部材と、第１軸において第１シート状部材よりも短く構成された第２シート状部材と、を有する。収容部は、収容部における他の箇所よりも剛性の高い高剛性部を有する。高剛性部は、第２空間領域に形成される。接合部は、一対の第１接合部と、一対の第２接合部と、一対の第１接合部および一対の第２接合部の間において第１軸に延在する分離接合部と、を有する。一対の第１接合部の間に第１空間領域が構成される。一対の第２接合部の間に第２空間領域が構成される。分離接合部により収容空間が分離される。第１接合部は、第１シート状部材と第２シート状部材の境界に設けられる。第２接合部は、第１接合部から第１軸において離間した位置に設けられる。高剛性部は、一対の第２接合部間に設けられる。
【０００８】
当該構成によって本発明に係る清掃シートにあっては、保持具が第１空間領域から第２空間領域へ移動する際に生ずる恐れのある収容部の変形を、高剛性部が抑制することが可能となる。また分離接合部により、例えば清掃シートへ挿入される箇所が二股となっている保持具を好適に使用することが可能となる。
【０００９】
さらに、本発明における他の態様に係る清掃シートにおいて、開口は、第１開口と、第１軸において第１開口と反対側に形成された第２開口と、第１開口を含む領域である第１開口側領域と、第２開口を含む領域である第２開口側領域とを有することができる。さらに、第１空間領域および第２空間領域は、第１開口側領域と第２開口側領域とにそれぞれ形成することができる。
【００１０】
この態様に係る清掃シートによれば、第１開口と第２開口を使用者が選択することができるため、使い勝手が向上する。さらに、第１開口と第２開口はそれぞれ第１開口側領域と第２開口側領域とを有するため、使用者による開口の選択に関わらず、清掃シートに保持具を挿入しやすいとともに、清掃中に清掃シートと保持具が脱離しにくい清掃シートとすることが可能となる。
【００１１】
さらに、本発明における他の態様に係る清掃シートにおいて、収容部は、第１空間領域から第２空間領域に亘り保持具を誘導する誘導部を有することができる。
【００１２】
本態様に係る清掃シートによれば、清掃シートに対して保持具を挿入するにあたり、第1空間領域から、当該第１空間領域よりも第２軸における長さの短い第２空間領域に保持具を移動させる際に、誘導部が保持具を誘導することが可能となる。よって、使用者は、清掃シートに対して容易に保持具を挿入することが可能となる。
【００１３】
さらに、本発明における他の態様に係る清掃シートにおいて、保持具は、凸部を有し、収容部は、第１接合部と第２接合部との間に凸部が収容される凸部収容領域を構成することができる。
【００１４】
さらに、本発明における他の態様に係る清掃シートにおいて、接合部は、収容部に保持具を収容させるために保持具を挿入方向に移動した場合に保持具と当接する挿入側領域と、収容部に収容された保持具を抜去方向に移動した場合に保持具と当接する抜去側領域とを有する。
挿入側領域は、挿入方向に移動する保持具が最初に当接する挿入開始点と、挿入方向に移動する保持具が最後に当接する挿入終了点と、挿入開始点と挿入終了点とを結んだ直線である挿入第１直線と、挿入開始点を通過する第２軸上の直線である挿入第２直線と、挿入第１直線と挿入第２直線とが形成する角度である挿入角度を規定する。
抜去側領域は、抜去方向に移動する保持具が最初に当接する抜去開始点と、抜去方向に移動する保持具が最後に当接する抜去終了点と、抜去開始点と抜去終了点とを結んだ直線である抜去第１直線と、抜去終了点を通過する第２軸上の直線である抜去第２直線と、抜去第１直線と抜去第２直線とが形成する角度である抜去角度を規定する。
そして、挿入角度は、抜去角度よりも小さく構成される。
【００１５】
本態様に係る清掃シートによれば、清掃シートに保持具を挿入する際に、保持具が挿入側領域に当接するため、清掃シートと保持具の装着作業が容易となる。一方、清掃シートから保持具を抜去する際に、保持具が抜去側領域に当接するため、清掃作業中における清掃シートと保持具の離脱を抑制することができる。
【００１６】
さらに、本発明における他の態様に係る清掃シートにおいて、挿入側領域は、第１接合部に形成される第１挿入側領域と、第２接合部に形成される第２挿入側領域とを有する。抜去側領域は、第１接合部に形成される第１抜去側領域と、第２接合部に形成される第２抜去側領域とを有する。
【００１７】
さらに、本発明における他の態様に係る清掃シートにおいて、挿入側領域は、誘導部を兼ねる。
本態様に係る清掃シートにおいては、清掃シートに保持具を挿入する際に、挿入角度を有する挿入側領域により、保持具を円滑に収容部に挿入することが可能となる。
【００１８】
さらに、本発明における他の態様に係る清掃シートにおいて、第１開口から挿入された保持具に対し、第２開口領域に配置された抜去側領域は、保持具の挿入を抑制する抑制部を構成する。
本態様に係る清掃シートによれば、清掃シートに装着された保持具を抜去するに際して、第２開口領域に配置された抜去側領域により、保持具が抜去され難い構成とされている。よって、清掃作業中において、清掃シートと保持具が離脱することを防止することができる。
【００１９】
さらに、本発明における他の態様に係る清掃シートにおいて、高剛性部は、分離接合部上に設けられるとともに第２軸において分離接合部よりも長く形成された、高剛性部形成接合部により構成される。
【００２０】
上記課題を解決するため、本発明における清掃用具は、保持具と、保持具に装着される清掃シートとを有する清掃用具であって、保持具は、使用者によって把持される把持部と、長尺部とを有する。清掃シートは、シート状部材と、シート状部材を重ねることによって構成される長尺部の収容部と、重ねられたシート状部材を接合することにより収容部の外縁を構成する接合部とを有する。収容部における長尺部の挿入方向は第１軸を規定し、第１軸における挿入方向とは反対側の方向は抜去方向を規定し、第１軸と交差する方向は第２軸を規定する。収容部は、開口と、開口に連続するとともに第１軸に延在する収容空間とを有する。収容空間は、第２軸において、所定の長さを有する第１空間領域と、第１空間領域よりも短い長さを有する第２空間領域とを有する。第１空間領域は、第１軸において、第２空間領域よりも開口側に設けられる。
【００２１】
本発明に係る清掃用具によれば、収容部に保持具を装着する際に、開口の次に第１空間領域が形成されているため、使用者は、容易に保持具を収容部に挿入することが可能となる。さらに、清掃作業中においては、第２空間領域が形成されているため、当該第２空間領域によって保持具を係止することができる。すなわち、清掃作業中において、清掃シートと保持具が脱離することを抑制することが可能となる。
【００２２】
また本発明に係る清掃用具にあっては、シート状部材は、第１シート状部材と、第１軸において第１シート状部材よりも短く構成された第２シート状部材と、を有する。収容部は、収容部における他の箇所よりも剛性の高い高剛性部を有する。高剛性部は、第２空間領域に形成される。接合部は、一対の第１接合部と、一対の第２接合部と、一対の第１接合部および一対の第２接合部の間において第１軸に延在する分離接合部と、を有する。一対の第１接合部の間に第１空間領域が構成される。一対の第２接合部の間に第２空間領域が構成される。分離接合部により収容空間が分離される。第１接合部は、第１シート状部材と第２シート状部材の境界に設けられる。第２接合部は、第１接合部から第１軸において離間した位置に設けられる。高剛性部は、一対の第２接合部間に設けられる。
【００２３】
当該構成によって本発明に係る清掃用具にあっては、保持具が第１空間領域から第２空間領域へ移動する際に生ずる恐れのある収容部の変形を、高剛性部が抑制することが可能となる。また分離接合部により、例えば清掃シートへ挿入される箇所が二股となっている保持具を好適に使用することが可能となる。
【発明の効果】
【００２４】
本発明によれば、清掃用具に関する一層合理的な構築技術を提供することが可能となる。
【図面の簡単な説明】
【００２５】
【図１】本発明の実施形態に係る清掃シートの全体構成を示す正面図である。
【図２】図１におけるＩ−Ｉ線断面図である。
【図３】清掃シートにおける収容部の説明図である。
【図４】清掃シートにおける接合部の説明図である。
【図５】接合部の構成を示す説明図である。
【図６】挿入側領域の構成を示す説明図である。
【図７】挿入側領域の構成を示す説明図である。
【図８】挿入側領域の構成を示す説明図である。
【図９】抜去側領域の構成を示す説明図である。
【図１０】抜去側領域の構成を示す説明図である。
【図１１】抜去側領域の構成を示す説明図である。
【図１２】清掃シートにおける挿入側領域と抜去側領域の構成を示す説明図である。
【図１３】第１保持具の構成を示す説明図である。
【図１４】第１保持具における長尺部の構成を示す説明図である。
【図１５】第２保持具の構成を示す説明図である。
【図１６】第２保持具における長尺部の構成を示す説明図である。
【図１７】図１５におけるＩＩ−ＩＩ線断面図である。
【図１８】清掃用具の動作を示す説明図である。
【図１９】清掃用具の動作を示す説明図である。
【図２０】清掃用具の動作を示す説明図である。
【発明を実施するための形態】
【００２６】
（清掃シートおよび清掃用具の概要）
本発明に係る清掃シートおよび清掃用具の実施形態を図１〜図２０に基づき説明する。清掃用具は、図１に示される清掃シートＢ１００に、図１３に示される保持具Ｇ１００を取付けることにより構成される。この清掃シートＢ１００が、本発明に係る「清掃シート」の一例であり、保持具Ｇ１００が、本発明に係る「保持具」の一例である。なお、保持具Ｇ１００は用途によって、図１３に示される形態や、図１５に示される形態がある。便宜上、図１３に示される保持具を第１保持具Ｇ１００と称し、図１５に示される保持具を第２保持具Ｇ２００と称する。清掃用具パッケージにおいては、第１保持具Ｇ１００もしくか第２保持具Ｇ２００のいずれか一方と、清掃シートＢ１００とが組み合わされる。
【００２７】
清掃シートＢ１００は、一回使用を目安とした使い捨てタイプのものや、清掃対象の被清掃面から除去したごみや埃を保持しつつ複数回の使用を目安として交換を行う使い捨てタイプのものであってもよい。
【００２８】
（清掃シートの基本構成）
図１〜図２に基づき、清掃シートＢ１００の基本構成を説明する。図１は清掃シートＢ１００を示す平面図であり、図２は図１におけるＩ−Ｉ線断面図である。
図２に示す通り、清掃シートＢ１００は、シート状部材Ｂ１１０と、繊維束Ｂ２００とを有する。シート状部材Ｂ１１０は、第１シートＢ１１１と、第２シートＢ１１２と、第３シートＢ１１３とを有する。第１シートＢ１１１と第２シートＢ１１２は重ねられる。繊維束Ｂ２００は、第２シートＢ１１２と第３シートＢ１１３との間に配置される。シート状部材Ｂ１１０と、繊維束Ｂ２００とは、所定の接合部Ｄ１００により接合される。第１シートＢ１１１と第２シートＢ１１２との間には、図１３に示される保持具Ｇ１００の長尺部Ｇ１１０が収容される収容部Ｃ１００が形成される。なお、収容部Ｃ１００は、図１５に示される保持具Ｇ２００の長尺部Ｇ２１０を収容することも可能である。収容部Ｃ１００は、第１シートＢ１１１と第２シートＢ１１２とを接合部Ｄ１００により接合することにより形成される。すなわち、収容部Ｃ１００の外縁は、接合部Ｄ１００により構成される。接合部Ｄ１００と、収容部Ｃ１００と、保持具Ｇ１００の詳細な構成は後述する。このシート状部材Ｂ１１０が、本発明に係る「シート状部材」の一例であり、接合部Ｄ１００が本発明に係る「接合部」の一例であり、収容部Ｃ１００が本発明に係る「収容部」の一例である。
【００２９】
図１に示す通り、清掃シートＢ１００は、収容部Ｃ１００に対する長尺部Ｇ１１０、Ｇ２１０の挿入方向Ａ１１０ｙと平行な直線である第１軸Ａ１００ｙを規定する。第１軸Ａ１００ｙにおける挿入方向Ａ１１０ｙとは反対側の方向は抜去方向Ａ１２０ｙを規定する。第１軸Ａ１００ｙと交差する方向は第２軸Ａ１００ｘを規定する。この挿入方向Ａ１１０ｙが、本発明に係る「挿入方向」の一例であり、抜去方向Ａ１２０ｙが、本発明に係る「抜去方向」の一例であり、第１軸Ａ１００ｙが、本発明に係る「第１軸」の一例であり、第２軸が、本発明に係る「第２軸」の一例である。
【００３０】
図１に示す通り、収容部Ｃ１００は、開口Ｃ１１０と、開口Ｃ１１０に連続するとともに第１軸Ａ１００ｙに延在する収容空間Ｃ２００とを有する。この開口Ｃ１１０が、本発明に係る「開口」の一例であり、収容空間Ｃ２００が、本発明に係る「収容空間」の一例である。図１に示す通り、第１軸Ａ１００ｙにおいて、第１シートＢ１１１は第２シートＢ１１２よりも短く形成されている。開口Ｃ１１０は、第１開口Ｃ１１１と、第１軸Ａ１００ｙにおいて第１開口Ｃ１１１と反対側に形成された第２開口Ｃ１１２とを有する。この第１開口Ｃ１１１が、本発明に係る「第１開口」の一例であり、第２開口Ｃ１１２が、本発明に係る「第２開口」の一例である。
第１シートＢ１１１、第２シートＢ１１２および第３シートＢ１１３は、第２軸Ａ１００ｘに延在する切込みＢ３１０を複数本有する。隣接する切込みＢ３１０の間には、短冊片Ｂ３００が形成される。
【００３１】
シート状部材Ｂ１１０は、熱溶融性繊維（熱可塑性繊維）からなる不織布により形成されている。不織布を構成する繊維としてポリエチレンテレフタレート（ＰＥＴ）などの合成繊維を使用することができる。
一方、不織布以外であっても、布帛や、合成樹脂によるフィルム体などを使用することもできる。
【００３２】
繊維束Ｂ２００は、清掃対象を清掃可能とするために、繊維構成体により形成される。この発明において、繊維構成体とは、「繊維」により形成される構造物を示すものである。この発明において、「繊維」とは、典型的な単一の繊維によるものや、典型的な繊維が長さ方向および／または径方向にそろって形成されるもの（撚糸、紡績糸、複数の長繊維が部分的に接続された糸材など）を含むものである。ここで「典型的な繊維」とは、糸、織物などの構成単位であり、太さに比して十分な長さを持つ、細くてたわみやすい形態のものである。具体的には長い連続状の繊維が長繊維（フィラメント）とされ、短い繊維が短繊維（ステープル）とされる。
ここで、本実施形態に係る清掃シートＢ１００において、繊維束Ｂ２００は、所定の方向に配向性を有する複数の繊維による繊維集合体により形成される。具体的には、繊維集合体は第２軸Ａ１００ｘに配向性を有する繊維の集合体により形成される。
繊維集合体は、第２軸Ａ１００ｘに配向性を有するとともに積層された複数の繊維により形成される。繊維は柔軟な素材であるため、容易に屈曲、変形される。よって、繊維の繊維配向方向とは、製品の設計上における繊維配向性のことを示すものである。
繊維集合体は、ポリエチレンテレフタレート（ＰＥＴ）を材質とし、実用上はトウを開繊することによって得られる長繊維（フィラメント）の集合体が用いられることが好ましい。
【００３３】
（収容部の説明）
次に、図３に基づき清掃シートＢ１００の収容部Ｃ１００の説明を行う。収容部Ｃ１００の外縁は、複数の接合部Ｄ１００により形成されている。一方、清掃シートＢ１００は、第２軸Ａ１００ｘにおける中心線を通過して第１軸Ａ１００ｙへ延在する分離接合部（第６接合部）Ｄ１０６を有する。分離接合部Ｄ１０６により、収容空間Ｃ２００は、図３における左右側にそれぞれ分離される。この分離接合部Ｄ１０６が、本発明に係る「分離接合部」の一例である。
開口Ｃ１１０は、第１開口Ｃ１１１と、第１軸Ａ１００ｙにおいて第１開口Ｃ１１１と反対側に形成された第２開口Ｃ１１２と、第１開口Ｃ１１１を含む領域である第１開口側領域Ｃ１１１ａと、第２開口Ｃ１１２を含む領域である第２開口側領域Ｃ１１２ａとを有する。この第１開口Ｃ１１１が、本発明に係る「第１開口」の一例であり、第２開口Ｃ１１２が、本発明に係る「第２開口」の一例であり、第１開口側領域Ｃ１１１ａが、本発明に係る「第１開口領域」の一例であり、第２開口側領域が、本発明に係る「第２開口側領域」の一例である。
【００３４】
収容空間Ｃ２００は、第１収容領域Ｃ３１０と、第２収容領域Ｃ３２０とを有する。第１収容領域Ｃ３１０は、第１保持具Ｇ１００に適応している。第２収容領域Ｃ３２０は、第２保持具Ｇ２００に適応している。
より具体的には、図１３に示される第１保持具Ｇ１００は、収容空間Ｃ２００に配置される第１長尺部Ｇ１１０と、第１長尺部Ｇ１１０に設けられた第１凸部Ｇ１５０とを有する。図１５に示される第２保持具Ｇ２００は、収容空間Ｃ２００に配置される第２長尺部Ｇ２１０と、第２長尺部Ｇ２１０に設けられた第２凸部Ｇ２５０とを有する。第１保持具Ｇ１００が清掃シートＢ１００に装着された場合、第１収容領域Ｃ３１０は、第１凸部Ｇ１５０を収容する。第２保持具Ｇ２００が清掃シートＢ１００に装着された場合、第２収容領域Ｃ３２０は、第２凸部Ｇ２５０を収容する。なお、「収容領域に凸部が収容される」とは、保持具が有する全ての凸部が、特定の収容領域に全て収容されることを示すものではない。例えば、後述する通り、第２保持具Ｇ２００の第２凸部Ｇ２５０は２つ形成されているが、いずれか一方でも第２収容領域Ｃ３２０に収容されれば足りるものである。
第１収容領域Ｃ３１０と第２収容領域Ｃ３２０とは、第１軸Ａ１００ｙにおいて隣接する。第１収容領域Ｃ３１０は、先端部Ｃ３１１と後端部Ｃ３１２を有し、第２収容領域Ｃ３２０は、先端部Ｃ３２１と後端部Ｃ３２２を有する。
【００３５】
（接合部の説明）
次に、図４に基づき清掃シートＢ１００の接合部Ｄ１００の説明を行う。接合部Ｄ１００は、シート状部材Ｂ１１０と繊維束Ｂ２００とを熱溶着することにより形成される。接合部Ｄ１００は、第１接合部Ｄ１０１と、第２接合部Ｄ１０２と、第３接合部Ｄ１０３と、第４接合部Ｄ１０４と、第５接合部Ｄ１０５と、第６接合部Ｄ１０６とを有する。第１接合部Ｄ１０１〜第４接合部Ｄ１０４は、第２軸Ａ１００ｘ上においてそれぞれ一対ずつ形成される。第１接合部Ｄ１０１〜第５接合部Ｄ１０５は、第１開口側領域Ｃ１１１ａと、第２開口側領域Ｃ１１２ａとにそれぞれ対称的に設けられる。第１接合部Ｄ１０１、第２接合部Ｄ１０２、第３接合部Ｄ１０３、第４接合部Ｄ１０４は、開口Ｃ１１０からみてこの順番に配置される。第５接合部Ｄ１０５は、第２接合部Ｄ１０２を通過する第２軸Ａ１００ｘ状における、第６接合部Ｄ１０６の位置に設けられる。すなわち、図４が示す通り、第５接合部Ｄ１０５と第６接合部Ｄ１０６は、重なる部分を有する。
図２に示す通り、第６接合部Ｄ１０６は、第１シートＢ１１１、第２シートＢ１１２、繊維束Ｄ２００および第３シートＢ１１３を接合する。一方、第１接合部Ｄ１０１〜第５接合部Ｄ１０５は、第１シートＢ１１１と第２シートＢ１１２を接合するとともに、繊維束Ｂ２００の一部を接合する。
【００３６】
図４に示す通り、収容空間Ｃ２００は、第２軸Ａ１００ｘにおいて、所定の長さを有する第１空間領域Ｃ２０１と、第１空間領域Ｃ２０１よりも短い長さを有する第２空間領域Ｃ２０２とを有する。第１空間領域Ｃ２０１は、第１軸Ａ１００ｙにおいて、第２空間領域Ｃ２０２よりも開口Ｃ１１０側に設けられる。第１空間領域Ｃ２０１は、一対の第１接合部Ｄ１０１の間に形成される。第２空間領域Ｃ２０２は、一対の第２接合部Ｄ１０２の間に形成される。つまり、第２軸Ａ１００ｘにおいて、一対の第１接合部Ｄ１０１同士の間隔は、一対の第２接合部Ｄ１０２同士の間隔よりも広く形成される。第１空間領域Ｃ２０１および第２空間領域Ｃ２０２は、第１開口側領域Ｃ１１１ａと第２開口側領域Ｃ１１２ａとにそれぞれ対称的に形成されている。
この第１空間領域Ｃ２０１が、本発明に係る「第１空間領域」の一例であり、第２空間領域Ｃ２０２が、本発明に係る「第２空間領域」の一例である。
【００３７】
図４に示す通り、第２空間領域Ｃ２０２には、第５接合部Ｄ１０５が形成されている。収容部Ｃ１００において、第５接合部Ｄ１０５は、収容部Ｃ１００における他の箇所よりも剛性の高い高剛性部Ｃ４００を形成する。この際、収容部Ｃ１００の外縁を形成する第１接合部Ｄ１０１〜Ｄ１０４は「収容部Ｃ１００における他の箇所」には相当しないものとする。また、第２軸Ａ１００ｘにおいて、第５接合部Ｄ１０５の長さは、第６接合部Ｄ１０６の長さよりも長く構成されている。これにより、第５接合部Ｄ１０５（高剛性部Ｃ４００）が形成されている箇所は、収容部Ｃ１００における他の箇所よりも剛性が高くなっている。この高剛性部Ｃ４００が、本発明に係る「高剛性部」の一例である。
【００３８】
上述した第１収容領域Ｃ３１０は保持具Ｇ１００の凸部Ｇ１５０を収容する。また、第２収容領域Ｃ３２０は、保持具Ｇ２００の凸部Ｇ２５０を収容する。よって、第１収容領域Ｃ３１０と第２収容領域Ｃ３２０とは、凸部収容領域を構成するということができる。
第１収容領域Ｃ３１０は、第１収容領域形成部Ｄ１１０により形成される。第２収容領域Ｃ３２０は、第２収容領域形成部Ｄ２１０により形成される。
図３に示す通り、第１収容領域Ｃ３１０は、先端部Ｃ３１１と後端部Ｃ３１２を有し、第２収容領域Ｃ３２０は、先端部Ｃ３２１と後端部Ｃ３２２を有する。図４に示す通り、第１収容領域形成部Ｄ１１０は、第１収容領域Ｃ３１０の先端部Ｃ３１１を形成する第１先端接合部Ｄ１１１と、第１収容領域Ｃ３１０の後端部Ｃ３２２を形成する第１後端接合部Ｄ１１２とを有する。この際、第１先端接合部Ｄ１１１は、第３接合部Ｄ１０３により構成され、第１後端接合部Ｄ１１２は、第２接合部Ｄ１０２により構成される。また、第２収容領域形成部Ｄ２１０は、第２収容領域Ｃ３２０の先端部Ｃ３２１を形成する第２先端接合部Ｄ２１１と、第２収容領域Ｃ３２０の後端部Ｃ３２２を形成する第２後端接合部Ｄ２１２とを有する。この際、第２先端接合部Ｄ２１１は、第２接合部Ｄ１０２により構成され、第２後端接合部Ｄ２１２は、第１接合部Ｄ１０１により構成される。すなわち、第２接合部Ｄ１０２は、第１後端接合部Ｄ１１２と、第２先端接合部Ｄ２１１とを兼用する。このような構成により、第１収容領域Ｃ３１０と第２収容領域Ｃ３２０とは隣接される。
なお上述の通り、本発明の実施形態においては、第１収容領域形成部Ｄ１１０と第２収容領域形成部Ｄ２１０とは、それぞれ一対の接合部により形成されている。一方、第１収容領域形成部Ｄ１１０と第２収容領域形成部Ｄ２１０とをそれぞれ単一の接合部により形成することも可能である。
【００３９】
（接合部における挿入側領域と抜去側領域の説明）
次に、図５〜図１２に基づき、接合部Ｄ１００における挿入側領域Ｄ３００と抜去側領域Ｄ４００の説明を行う。なお、本実施形態につき、以下に説明する挿入側領域Ｄ３００と、抜去側領域Ｄ４００に係る説明は、第１接合部Ｄ１０１〜第３接合部Ｄ１０３に形成される。図５〜図１２においては、挿入側領域Ｄ３００と抜去側領域Ｄ４００とを有する接合部として、第２接合部Ｄ１０２を代表として説明する。また、保持具として第１保持具Ｇ１００を代表として説明する。この挿入側領域Ｄ３００が、本発明に係る「挿入側領域」の一例であり、抜去側領域Ｄ４００が、本発明に係る「抜去側領域」の一例である。
図５に示す通り、第２接合部Ｄ１０２は、収容部Ｃ１００に保持具Ｇ１００の長尺部Ｇ１１０を収容させるために保持具Ｇ１００を挿入方向Ａ１１０ｙに移動した場合に、凸部Ｇ１５０と当接する挿入側領域Ｄ３００を有する。さらに、第２接合部Ｄ１０２は、収容部Ｃ１００に収容された長尺部Ｇ１１０を抜去方向Ａ１２０ｙに移動した場合に、凸部Ｇ１５０と当接する抜去側領域Ｄ４００を有する。
【００４０】
挿入側領域Ｄ３００は、図６に示す通り、挿入方向Ａ１１０ｙに移動する凸部Ｇ１５０が最初に当接する挿入開始点Ｄ３０１と、図７に示す通り、挿入方向Ａ１１０ｙに移動する凸部Ｇ１５０が最後に当接する挿入終了点Ｄ３０２とを規定する。挿入側領域Ｄ３００はさらに、図８に示す通り、挿入開始点Ｄ３０１と挿入終了点Ｄ３０２とを結んだ直線である挿入第１直線Ｄ３０３と、挿入開始点Ｄ３０１を通過する第２軸Ａ１００ｘ上の直線である挿入第２直線Ｄ３０４と、挿入第１直線Ｄ３０３と挿入第２直線Ｄ３０４とが形成する角度である挿入角度Ｄ３０５を規定する。
この挿入開始点Ｄ３０１が、本発明に係る「挿入開始点」の一例であり、挿入終了点Ｄ３０２が、本発明に係る「挿入終了点」の一例であり、挿入第１直線Ｄ３０３が、本発明に係る「挿入第１直線」の一例であり、挿入第２直線Ｄ３０４が、本発明に係る「挿入第２直線」の一例であり、挿入角度Ｄ３０５が、本発明に係る「挿入角度」の一例である。
【００４１】
抜去側領域Ｄ４００は、図９に示す通り、抜去方向Ａ１２０ｙに移動する凸部Ｇ１５０が最初に当接する抜去開始点Ｄ４０１と、図１０に示す通り、抜去方向Ａ１２０ｙに移動する凸部Ｇ１５０が最後に当接する抜去終了点Ｄ４０２とを規定する。抜去側領域Ｄ４００はさらに、図１１に示す通り、抜去開始点Ｄ４０１と抜去終了点Ｄ４０２とを結んだ直線である抜去第１直線Ｄ４０３と、抜去終了点Ｄ４０２を通過する第２軸Ａ１００ｘ上の直線である抜去第２直線Ｄ４０４と、抜去第１直線Ｄ４０３と抜去第２直線Ｄ４０４とが形成する角度である抜去角度Ｄ４０５を規定する。
この抜去開始点Ｄ４０１が、本発明に係る「抜去開始点」の一例であり、抜去終了点Ｄ４０２が、本発明に係る「抜去終了点」の一例であり、抜去第１直線４０３が、本発明に係る「抜去第１直線」の一例であり、抜去第２直線Ｄ４０４が、本発明に係る「抜去第２直線」の一例であり、抜去角度Ｄ４０５が、本発明に係る「抜去角度」の一例である。
【００４２】
図８に示される挿入角度Ｄ３０５は、図１１に示される抜去角度Ｄ４０５よりも小さく構成されている。
なお、上述の図５〜図１１にて説明した挿入側領域Ｄ３００と抜去側領域Ｄ４００の構成は、第１接合部Ｄ１０１〜第３接合部Ｄ１０３に形成される。ここで、図１２に示す通り、第１接合部Ｄ１０１における挿入側領域Ｄ３００を第１挿入側領域Ｄ３１０、第２接合部Ｄ１０２における挿入側領域Ｄ３００を第２挿入側領域Ｄ３２０、第３接合部Ｄ１０３における挿入側領域Ｄ３００を第３挿入側領域Ｄ３３０と称する。また、第１接合部Ｄ１０１における抜去側領域Ｄ４００を第１抜去側領域Ｄ４１０、第２接合部Ｄ１０２における抜去側領域Ｄ４００を第２抜去側領域Ｄ４２０、第３接合部Ｄ１０３における抜去側領域Ｄ４００を第３抜去側領域Ｄ４３０と称する。
この第１挿入側領域Ｄ３１０が、本発明に係る「第１挿入側領域」の一例であり、第２挿入側領域Ｄ３２０が、本発明に係る「第２挿入側領域」の一例であり、第１抜去側領域Ｄ４１０が、本発明に係る「第１抜去側領域」の一例であり、第２抜去側領域Ｄ４２０が、本発明に係る「第２抜去側領域」の一例である。
【００４３】
（保持具の説明）
次に、図１３〜図１７に基づき、保持具の説明を行う。図１３〜図１４は、第１保持具Ｇ１００に係る説明図であり、図１５〜図１７は第２保持具Ｇ２００に係る説明図である。
図１３に示す通り、第１保持具Ｇ１００は、清掃シートＢ１００の収容部Ｃ１００に保持される長尺部Ｇ１１０と、使用者に把持されるハンドル部Ｇ１６０とを有する。長尺部Ｇ１１０は、先端部Ｇ１２０と、基部Ｇ１３０と、当該先端部Ｇ１２０と基部Ｇ１３０との間に延在する延在部Ｇ１４０とを有する。延在部Ｇ１４０は、基部Ｇ１３０から二股状に形成される。よって、基部Ｇ１３０は単一であるが、延在部Ｇ１４０と先端部Ｇ１２０とはそれぞれ２つずつ構成される。延在部Ｇ１４０は凸部Ｇ１５０を有する。凸部Ｇ１５０は、先端部Ｇ１２０側の先端側凸部Ｇ１５１と、基部Ｇ１３０側の基部側凸部Ｇ１５２とを有する。ハンドル部Ｇ１６０は、先端部Ｇ１６１と、後端部Ｇ１６２と、当該先端部Ｇ１６１と後端部Ｇ１６２との間に延在する把持部Ｇ１６３とを有する。長尺部Ｇ１１０の基部Ｇ１３０と、ハンドル部Ｇ１６０の先端部Ｇ１６１とは、着脱自在に構成されている。
図１４は、第１保持具Ｇ１００の長尺部Ｇ１１０の側面図である。図１４に示す通り、長尺部Ｇ１１０は、基部Ｇ１３０から先端部Ｇ１２０にかけて暫時厚みが減少するテーパー構造とされる一方、巨視的には概ね扁平な形状とされている。
【００４４】
図１５に示す通り、第２保持具Ｇ２００は、清掃シートＢ１００の収容部Ｃ１００に保持される長尺部Ｇ２１０と、使用者に把持されるハンドル部Ｇ２６０とを有する。長尺部Ｇ２１０は、先端部Ｇ２２０と、基部Ｇ２３０と、当該先端部Ｇ２２０と基部Ｇ２３０との間に延在する延在部Ｇ２４０とを有する。延在部Ｇ２４０は、基部Ｇ２３０から二股状に形成される。よって、基部Ｇ２３０は単一であるが、延在部Ｇ２４０と先端部Ｇ２２０とはそれぞれ２つずつ構成される。
延在部Ｇ２４０は、第１延在部Ｇ２４１と第２延在部Ｇ２４２とを有する。二股状の延在部Ｇ２４０において、第１延在部Ｇ２４１は互いに近接する位置関係にあり、第２延在部Ｇ２４２は互いに離間する位置関係にある。より具体的には、図１５に示す通り、二つの第１延在部Ｇ２４１は、第２軸Ａ１００ｘにおいて互いに近接する方向に突出するような湾曲形状とされる。二つの第２延在部Ｇ２４２は、第２軸Ａ１００ｘにおいて互いに離間する方向に突出するような湾曲形状とされる。
延在部Ｇ２４０の内、第２延在部Ｇ２４２は凸部Ｇ２５０を有する。凸部Ｇ２５０は、先端部Ｇ２２０側の先端側凸部Ｇ２５１と、基部Ｇ２３０側の基部側凸部Ｇ２５２とを有する。ハンドル部Ｇ２６０は、先端部Ｇ２６１と、後端部Ｇ２６２と、当該先端部Ｇ２６１と後端部Ｇ２６２との間に延在する把持部Ｇ２６３とを有する。長尺部Ｇ２１０の基部Ｇ２３０と、ハンドル部Ｇ２６０の先端部Ｇ２６１とは、着脱自在に構成されている。
図１６は、第２保持具Ｇ２００の長尺部Ｇ２１０の側面図であり、図１７は図１５におけるＩＩ−ＩＩ線断面図である。図１６および図１７に示す通り、第１延在部Ｇ２４１と第２延在部Ｇ２４２は、それぞれが離間する方向に湾曲する。具体的には、図１６に示す通り、第１延在部Ｇ２４１は、当該第１延在部Ｇ２４１の中央領域が図１６における下側方向に突出するように湾曲し、第２延在部Ｇ２４２は、当該第２延在部Ｇ２４２の中央領域が図１６における上側方向に突出するように湾曲する。よって、長尺部Ｇ２１０は、巨視的には概ね立体的な形状とされている。
【００４５】
なお、第１保持具Ｇ１００における基部Ｇ１３０と延在部Ｇ１４０との接合部分と、第２保持具Ｇ２００における基部Ｇ２３０と延在部Ｇ２４０との接合部分とを、第２軸Ａ１００ｘにおいて同一の位置に並べるものとする。この場合、第２軸Ａ１００ｘ上において、第１保持具Ｇ１００の基部側凸部Ｇ１５２と、第２保持具Ｇ２００の基部側凸部Ｇ２５２とは、略同一の領域に位置する。一方、第１保持具Ｇ１００の先端側凸部Ｇ１５１は、第２保持具Ｇ２００の先端側凸部Ｇ２５１と比して、基部側Ｇ１３０方向に位置する。
この結果、第１保持具Ｇ１００を清掃シートＢ１００に装着した場合、先端側凸部Ｇ１５１と、基部側凸部Ｇ１５２は、ともに第１収容領域Ｃ３１０に収容される。一方、第２保持具Ｇ２００を清掃シートＢ１００に装着した場合、先端側凸部Ｇ２５１は第２収容領域Ｃ３２０に収容され、基部側凸部Ｇ２５２は第１収容領域Ｃ３１０に収容される。
第１保持具Ｇ１００、第２保持具Ｇ２００は、樹脂材料にて成型されている。
【００４６】
（動作の説明）
次に、図１８〜図２０に基づき、本発明に係る清掃用具の動作を説明する。図１８〜図１９は、第１保持具Ｇ１００を使用した場合の動作説明図、図２０は第２保持具Ｇ２００を使用した場合の動作説明図である。なお、便宜上、長尺部Ｇ１４０、Ｇ２４０の一方側の動作のみを説明する。
まず、図１８に示す通り、第１保持具Ｇ１００の先端部Ｇ１２０を、清掃シートＢ１００の第１開口Ｃ１１１から収容部Ｃ１００へと挿入する。この際、第１接合部Ｄ１０１が第１空間領域Ｃ２０１を形成するため、第２軸Ａ１００ｘにおける第１開口Ｃ１１１の長さを長く形成することができる。よって、使用者は先端部Ｇ１２０を容易に第１開口Ｃ１１１へ挿入することが可能となる。
【００４７】
使用者が第１保持具Ｇ１００を挿入方向Ａ１００ｙへ移動させることに伴い、先端側凸部Ｇ１５１が第１接合部Ｄ１０１の第１挿入側領域Ｄ３１０へと当接する。この際、第１挿入側領域Ｄ３１０は前述した挿入角度Ｄ３０５にて形成されているため、使用者は大きな抵抗を加えることなく、円滑に第１保持具Ｇ１００の長尺部Ｇ１１０を、収容部Ｃ１００へ挿入することができる。
【００４８】
長尺部Ｇ１１０は、挿入角度Ｄ３０５を有する第１挿入側領域Ｄ３１０により、内側方向（第６接合部Ｄ１０６の存在する方向）に撓ませられる。第１接合部Ｄ１０１は第１空間領域Ｃ２０１を規定し、第２接合部Ｄ１０２は、第２空間領域Ｃ２０２を規定する。第２空間領域Ｃ２０２は、第２軸Ａ１００ｘにおいて、第１空間領域Ｃ２０１よりも短く構成されている。長尺部Ｇ１１０は使用者によって第１空間領域Ｃ２０１から第２空間領域Ｃ２０２に進行されるが、この際、長尺部Ｇ１１０は、撓んだ状態のまま進行される。よって、長尺部Ｇ１１０の先端側凸部Ｇ１５１が第２空間領域Ｃ２０２へ到達し、第２空間領域Ｃ２０２を超えるにあたり、使用者は大きな抵抗を加えることなく、円滑に長尺部Ｇ１１０を進行させることが可能となる。すなわち、第１接合部Ｄ１０１の第１挿入側領域Ｄ３１０は、第１空間領域Ｃ２０１から第２空間領域Ｃ２０２に亘り保持具Ｇ１００を誘導する誘導部Ｅ１００であるということができる。この誘導部Ｅ１００が、本発明に係る「誘導部」の一例である。
【００４９】
なお、使用者により、長尺部Ｇ１１０は、撓んだ状態のまま第２空間領域Ｃ２０２を進行されるが、第２空間領域Ｃ２０２には第５接合部Ｄ１０５が形成されている。しかし、第５接合部Ｄ１０５は、上述した通り高剛性部Ｃ４００を形成するため、先端側凸部Ｇ１５１が第２接合部Ｄ１０２を通過するにあたり、収容部Ｃ１００が大きく変形することを防止できる。
【００５０】
使用者により長尺部Ｇ１１０が進行され、先端側凸部Ｇ１５１が第１開口側領域Ｃ１１１ａを経由して第２開口側領域Ｃ１１２ａに到達する。この際、後端側凸部Ｇ１５２は第１開口側領域Ｃ１１１ａにおける第１接合部Ｄ１０１と第２接合部Ｄ１０２とを通過する。この後端側凸部Ｇ１５２が第１接合部Ｄ１０１と第２接合部Ｄ１０２とを通過する場合における誘導部Ｅ１００と高剛性部Ｃ４００の動作は、上述の先端側凸部Ｇ１５１の場合と同様である。
【００５１】
図１９は、収容部Ｃ１００へ対する長尺部Ｇ１１０の収容が完了した状態を示す。この状態において、先端側凸部Ｇ１５１は、第２開口側領域Ｃ１１２ａの第１収容領域Ｃ３１０に収容される。後端側凸部Ｇ１５２は、第１開口側領域Ｃ１１１ａの第１収容領域Ｃ３１０に収容される。
この状態において、使用者は清掃用具により清掃作業を行う。清掃作業中において、清掃シートＢ１００と清掃対象との摩擦により、清掃シートＢ１００と長尺部Ｇ１１０の位置関係が装着時点とは異なる状態となる場合がある。すなわち、保持具Ｇ１００がさらに挿入方向Ａ１１０ｙへ移動しようとする事態が生ずる。この場合、先端側凸部Ｇ１５１は、第２開口側領域Ｃ１１２ａの第２接合部Ｄ１０２における第２抜去側領域Ｄ４２０に当接される。この際、第２接合部Ｄ１０２は第２空間領域Ｃ２０２を構成しているため、先端側凸部Ｇ１５１を、第２接合部Ｄ１０２に対し確実に当接させることが可能となる。第２抜去側領域Ｄ４２０は、抜去角度Ｄ４０５を有する構成とされている。すなわち、先端側凸部Ｇ１５１は、第２開口側領域Ｃ１１２ａの第２接合部Ｄ１０２を超えにくい構成である。よって、保持具Ｇ１００のさらなる挿入方向Ａ１１０ｙへの移動は、抑制される。これを換言すると、第１開口Ｃ１１１から挿入された保持具Ｇ１００に対し、第２開口領域Ｃ１１２ａに配置された抜去側領域Ｄ４００は、保持具Ｇ１００の挿入を抑制する抑制部Ｆ１００を構成するということができる。この抑制部Ｆ１００が、本発明に係る「抑制部」の一例である。
一方、保持具Ｇ１００が抜去方向Ａ１２０ｙへ移動しようとする事態が生ずる。この場合、後端側凸部Ｇ１５２は、第１開口側領域Ｃ１１１ａの第２接合部Ｄ１０２における第２抜去側領域Ｄ４２０に当接される。この際、第２接合部Ｄ１０２は第２空間領域Ｃ２０２を構成しているため、後端側凸部Ｇ１５２を、第２接合部Ｄ１０２に対し確実に当接させることが可能となる。第２抜去側領域Ｄ４２０は、抜去角度Ｄ４０５を有する構成とされている。すなわち、後端側凸部Ｇ１５２は、第１開口側領域Ｃ１１１ａの第２接合部Ｄ１０２を超えにくい構成である。よって、保持具Ｇ１００の抜去方向Ａ１２０ｙへの移動は、抑制される。
【００５２】
図２０は、収容部Ｃ１００へ対する第２保持具Ｇ２００の装着が完了した状態を示す。この状態において、先端側凸部Ｇ２５１は、第２開口側領域Ｃ１１２ａの第２収容領域Ｃ３２０に収容される。後端側凸部Ｇ２５２は、第１開口側領域Ｃ１１１ａの第１収容領域Ｃ３１０に収容される。
なお、長尺部Ｇ２１０を収容部Ｃ１００に挿入する際における誘導部Ｅ１００の動作や、清掃中における抑止部Ｆ１００に係る動作は、図１８〜図１９に係る動作と同様であるため、その説明を省略する。なお、第２保持具Ｇ２００を清掃シートＢ１００に装着した場合、抑止部Ｆ１００は第１接合部Ｄ１０１における第１抜去領域Ｄ４１０と、第２接合部Ｄ１０２における第２抜去領域Ｄ４２０の双方に形成される。すなわち、清掃作業中に、第２保持具Ｇ２００がさらに挿入方向Ａ１１０ｙに移動しようとした場合には、先端側凸部Ｇ２５１が、第１抜去領域Ｄ４１０（抑止部Ｆ１００）に当接する。また、上述の通り、第２延在部Ｇ２４２は、第２軸Ａ１００ｘにおいて外側方向に突出する湾曲形状とされている。よって、第２保持具Ｇ２００がさらに挿入方向Ａ１００ｙに移動しようとした場合には、第２延在部Ｇ２４２の湾曲部分が、第２抜去領域Ｄ４２０（抑止部Ｆ１００）に当接する。このようにして、第２保持具Ｇ２００の場合は、抑止部Ｆ１００が、第１抜去領域Ｄ４１０と第２抜去領域Ｄ４２０とにそれぞれ形成されるため、清掃作業中に第２保持具Ｇ２００が、挿入方向Ａ１１０ｙへ移動しにくい構成とされる。
なお、第２保持具Ｇ２００における先端側凸部Ｇ２５１や、第２延在部Ｇ２４２の構成によっては、第１抜去領域Ｄ４１０と第２抜去領域Ｄ４２０のいずれか一方が抑止部Ｆ１００として機能することも可能である。
【００５３】
（実施の形態ないし実施例本発明の各構成要素の対応について）
清掃シートＢ１００は、本発明に係る「清掃シート」の一例である。保持具Ｇ１００は、本発明に係る「保持具」の一例である。シート状部材Ｂ１１０は、本発明に係る「シート状部材」の一例である。接合部Ｄ１００は、本発明に係る「接合部」の一例である。収容部Ｃ１００は、本発明に係る「収容部」の一例である。挿入方向Ａ１１０ｙは、本発明に係る「挿入方向」の一例である。抜去方向Ａ１２０ｙは、本発明に係る「抜去方向」の一例である。第１軸Ａ１００ｙは、本発明に係る「第１軸」の一例である。第２軸は、本発明に係る「第２軸」の一例である。開口Ｃ１１０は、本発明に係る「開口」の一例である。収容空間Ｃ２００は、本発明に係る「収容空間」の一例である。分離接合部Ｄ１０６は、本発明に係る「分離接合部」の一例である。第１開口Ｃ１１１は、本発明に係る「第１開口」の一例である。第２開口Ｃ１１２は、本発明に係る「第２開口」の一例である。第１開口側領域Ｃ１１１ａは、本発明に係る「第１開口領域」の一例である。第２開口側領域は、本発明に係る「第２開口側領域」の一例である。第１空間領域Ｃ２０１は、本発明に係る「第１空間領域」の一例である。第２空間領域Ｃ２０２は、本発明に係る「第２空間領域」の一例である。高剛性部Ｃ４００は、本発明に係る「高剛性部」の一例である。挿入側領域Ｄ３００は、本発明に係る「挿入側領域」の一例である。抜去側領域Ｄ４００は、本発明に係る「抜去側領域」の一例である。挿入開始点Ｄ３０１は、本発明に係る「挿入開始点」の一例である。挿入終了点Ｄ３０２は、本発明に係る「挿入終了点」の一例である。挿入第１直線Ｄ３０３は、本発明に係る「挿入第１直線」の一例である。挿入第２直線Ｄ３０４は、本発明に係る「挿入第２直線」の一例である。挿入角度Ｄ３０５は、本発明に係る「挿入角度」の一例である。抜去開始点Ｄ４０１は、本発明に係る「抜去開始点」の一例である。抜去終了点Ｄ４０２は、本発明に係る「抜去終了点」の一例である。抜去第１直線４０３は、本発明に係る「抜去第１直線」の一例である。抜去第２直線Ｄ４０４は、本発明に係る「抜去第２直線」の一例である。抜去角度Ｄ４０５は、本発明に係る「抜去角度」の一例である。第１挿入側領域Ｄ３１０は、本発明に係る「第１挿入側領域」の一例である。第２挿入側領域Ｄ３２０は、本発明に係る「第２挿入側領域」の一例である。第１抜去側領域Ｄ４１０は、本発明に係る「第１抜去側領域」の一例である。第２抜去側領域Ｄ４２０は、本発明に係る「第２抜去側領域」の一例である。誘導部Ｅ１００は、本発明に係る「誘導部」の一例である。抑制部Ｆ１００は、本発明に係る「抑制部」の一例である。
【符号の説明】
【００５４】
Ａ１００ｙ  第１軸
Ａ１１０ｙ  挿入方向
Ａ１２０ｙ  抜去方向
Ａ１００ｘ  第２軸
Ｂ１００  清掃シート
Ｂ１１０  シート状部材
Ｂ１１１  第１シート
Ｂ１１２  第２シート
Ｂ１１３  第３シート
Ｂ２００  繊維束
Ｂ３００  短冊片
Ｂ３１０  切込み
Ｃ１００  収容部
Ｃ１１０  開口
Ｃ１１１  第１開口
Ｃ１１１ａ  第１開口側領域
Ｃ１１２  第２開口
Ｃ１１２ａ  第２開口側領域
Ｃ２００  収容空間
Ｃ２０１  第１空間領域
Ｃ２０２  第２空間領域
Ｃ３００  凸部収容領域
Ｃ３１０  第１収容領域
Ｃ３１１  先端部
Ｃ３１２  後端部
Ｃ３２０  第２収容領域
Ｃ３２１  先端部
Ｃ３２２  後端部
Ｃ４００  高剛性部
Ｄ１００  接合部
Ｄ１０１  第１接合部
Ｄ１０２  第２接合部
Ｄ１０３  第３接合部
Ｄ１０４  第４接合部
Ｄ１０５  第５接合部
Ｄ１０６  第６接合部（分離接合部）
Ｄ１１０  第１収容領域形成部
Ｄ１１１  第１先端接合部
Ｄ１１２  第１後端接合部
Ｄ２１０  第２収容領域形成部
Ｄ２１１  第２先端接合部
Ｄ２１２  第２後端接合部
Ｄ３００  挿入側領域
Ｄ３０１  挿入開始点
Ｄ３０２  挿入終了点
Ｄ３０３  挿入第１直線
Ｄ３０４  挿入第２直線
Ｄ３０５  挿入角度
Ｄ３１０  第１挿入側領域
Ｄ３２０  第２挿入側領域
Ｄ３３０  第３挿入側領域
Ｄ４００  抜去側領域
Ｄ４０１  抜去開始点
Ｄ４０２  抜去終了点
Ｄ４０３  抜去第１直線
Ｄ４０４  抜去第２直線
Ｄ４０５  抜去角度
Ｄ４１０  第１抜去側領域
Ｄ４２０  第２抜去側領域
Ｄ４３０  第３抜去側領域
Ｅ１００  誘導部
Ｆ１００  抑制部
Ｇ１００  保持具（第１保持具）
Ｇ１１０  長尺部
Ｇ１２０  先端部
Ｇ１３０  基部
Ｇ１４０  延在部
Ｇ１５０  凸部（第１凸部）
Ｇ１５１  先端側凸部
Ｇ１５２  基部側凸部
Ｇ１６０  ハンドル部
Ｇ１６１  先端部
Ｇ１６２  後端部
Ｇ１６３  把持部
Ｇ２００  第２保持具
Ｇ２１０  長尺部
Ｇ２２０  先端部
Ｇ２３０  基部
Ｇ２４０  延在部
Ｇ２４１  第１延在部
Ｇ２４２  第２延在部
Ｇ２５０  凸部（第１凸部）
Ｇ２５１  先端側凸部
Ｇ２５２  基部側凸部
Ｇ２６０  ハンドル部
Ｇ２６１  先端部
Ｇ２６２  後端部
Ｇ２６３  把持部
【図１】
0006514863.tif 000002
【図２】
0006514863.tif 000003
【図３】
0006514863.tif 000004
【図４】
0006514863.tif 000005
【図５】
0006514863.tif 000006
【図６】
0006514863.tif 000007
【図７】
0006514863.tif 000008
【図８】
0006514863.tif 000009
【図９】
0006514863.tif 000010
【図１０】
0006514863.tif 000011
【図１１】
0006514863.tif 000012
【図１２】
0006514863.tif 000013
【図１３】
0006514863.tif 000014
【図１４】
0006514863.tif 000015
【図１５】
0006514863.tif 000016
【図１６】
0006514863.tif 000017
【図１７】
0006514863.tif 000018
【図１８】
0006514863.tif 000019
【図１９】
0006514863.tif 000020
【図２０】
0006514863.tif 000021